(57)【特許請求の範囲】
【請求項１】
床面より起立する左右の側板の下端部に、ベース棚板を取付け、該ベース棚板の上面と、前記両側板の対向面の中間部とに、方形枠状をなすとともに、左右の縦フレームの前後両面に複数の係止孔が上下方向に列設されたフレーム部材を固着したことを特徴とする商品陳列棚。
【請求項２】
フレーム部材を金属製とし、その左右の縦フレームの少なくとも前後いずれか一方の係止孔に、ブラケットを係止し、該両ブラケットに棚板を取付けた請求項１に記載の商品陳列棚。
【請求項３】
フレーム部材の上下の横フレーム間に、左右幅を左右の縦フレーム間の寸法より小とした、商品の支持部材が取付可能な取付板を設けた請求項１または２に記載の商品陳列棚。
【請求項４】
取付板を、商品の吊支金具が係止可能なパンチングプレートとした請求項３に記載の商品陳列棚。
【請求項５】
取付板を、少なくとも前後いずれか一方の面に棚板の基端部が嵌合可能な左右方向を向く斜め上向きの凹溝を有する木製パネルとした請求項３に記載の商品陳列棚。
【請求項６】
左右の側板間に中間側板を有するものにおいて、該中間側板におけるベース棚板よりも上方の一部を、透明または半透明とした請求項１ないし５のいずれかに記載の商品陳列棚。
【請求項７】
側板におけるベース棚板よりも上方を、中央部が開口する方形枠状とした請求項１ないし６のいずれかに記載の商品陳列棚。
【請求項８】
側板の開口部の前後の開口縁に、外面に複数の係止孔が上下方向に列設された取付金具を固着し、該取付金具の係止孔に係止したブラケットに、棚板を取付けた請求項７に記載の商品陳列棚。
【請求項９】
ベース棚板を床面より離間させて取付け、その下方を収納空間とした請求項１ないし８のいずれかに記載の商品陳列棚。
【発明の詳細な説明】
【０００１】
【発明の属する技術分野】
本発明は、店舗等において例えば島状に設置される商品陳列棚に関する。
【０００２】
【従来の技術】
上記島状に設置される商品陳列棚は、陳列商品を、前後左右いずれの方向からでも手に取れるようにするために、従来の商品陳列棚は、例えば左右の側板における対向面間の中央部を、左右方向を向く背板により結合して、平面視Ｈ状に形成し、左右の側板と背板の前後の面に、棚板等の商品陳列部材を取付けたり、あるいは、前後左右に並ぶ複数の金属製の支柱における左右両側面と前後の面に棚板を取付けたりしているものが多い。
【０００３】
【発明が解決しようとする課題】
上述した前者のような商品陳列棚は、側板や背板を木製とすることが多いため、特に、前後両面に棚板等が取付けられる背板の強度が小さく、棚板の取付数が制限されたり、重量のある商品を陳列できないなど、陳列商品が制約されたりすることがある。また、前後左右方向の視界が、両側板と背板により遮られるため、開放感に乏しい。
【０００４】
上記従来の後者の商品陳列棚は、棚板等の支持強度は十分であるが、支柱により囲まれた内部空間がデッドスペースとなり、商品の陳列量が少なくなる問題がある。また、支柱の数や、支柱同士を連結する連結杆の数量が多いため、部品点数が増えてコスト高となる。
【０００５】
本発明は、上記問題点を解決するためになされたもので、棚板等の支持強度が大きく、開放感に優れるとともに、支柱を不要としてデッドスペースが形成されるのをなくし、商品の陳列量を増加させ得るようにした商品陳列棚を提供することを目的としている。
【０００６】
【課題を解決するための手段】
上記目的を達成するために、本発明の商品陳列棚は、床面より起立する左右の側板の下端部に、ベース棚板を取付け、該ベース棚板の上面と、前記両側板の対向面の中間部とに、方形枠状をなすとともに、左右の縦フレームの前後両面に複数の係止孔が上下方向に列設されたフレーム部材を固着したことを特徴としている。
上記構成の本発明によると、ベース棚板の上面と両側板の対向面の中間部に、方形枠状のフレーム部材を固着しているため、陳列棚全体の強度が大きく、かつ前後方向の視界が良好となるので、大きな開放感が得られる。
また、縦フレームの係止孔に、棚板支持用のブラケットを係止することができるので、陳列棚の中央部にデッドスペースが形成されることがない。
【０００７】
上記商品陳列棚において、フレーム部材を金属製とし、その左右の縦フレームの少なくとも前後いずれか一方の係止孔に、ブラケットを係止し、該両ブラケットに棚板を取付けるのが好ましい。
このようにすると、棚板の支持強度が大となるので、商品の陳列量を増加させることができる。
【０００８】
上記商品陳列棚において、フレーム部材の上下の横フレーム間に、左右幅を左右の縦フレーム間の寸法より小とした、商品の支持部材が取付可能な取付板を設けるのが好ましい。
このようにすると、開放感を損なうことなく、より多くの商品を陳列することができる。
【０００９】
上記商品陳列棚において、取付板を、商品の吊支金具が係止可能なパンチングプレートとするのが好ましい。
このようにすると、パンチングプレートのパンチ孔に吊支金具を簡単に取付けて、多くの商品を陳列することができる。
【００１０】
上記商品陳列棚において、取付板を、少なくとも前後いずれか一方の面に棚板の基端部が嵌合可能な左右方向を向く斜め上向きの凹溝を有する木製パネルとするのが好ましい。
このようにすると、木製パネルの凹溝に棚板の基端部を簡単に嵌合して取付け、棚板に多くの商品を陳列することができる。
【００１１】
上記商品陳列棚において、左右の側板間に中間側板を有するものにおいて、該中間側板におけるベース棚板よりも上方の一部を、透明または半透明とするのが好ましい。
このようにすると、中間側板を有していても、閉塞感が生じることはない。
【００１２】
上記商品陳列棚において、側板におけるベース棚板よりも上方を、中央部が開口する方形枠状とするのが好ましい。
このようにすると、左右方向の視界も良好となるので、より大きな開放感が得られる。
【００１３】
上記商品陳列棚において、側板の開口部の前後の開口縁に、外面に複数の係止孔が上下方向に列設された取付金具を固着し、該取付金具の係止孔に係止したブラケットに、棚板を取付けるのが好ましい。
このようにすると、側板にも棚板を強固に取付けることができるので、商品の陳列量をさらに増加させることができる。
【００１４】
上記商品陳列棚において、ベース棚板を床面より離間させて取付け、その下方を収納空間とするのが好ましい。
このようにすると、収納空間に例えば引出しを収容することにより、該引出しにストック商品等を保管しておくことができる。
【００１５】
【発明の実施の形態】
以下、本発明の実施形態を図面に基づいて説明する。
【００１６】
図１は、本発明の商品陳列棚の斜視図，図２は、同じく後面図（以下、図１の斜め右下方を前として説明する）である。
【００１７】
商品陳列棚Ａは、床面より起立する左右の側板１，１と、中間側板２とを備え、それらの上下及び前後寸法は、ほぼ等しく形成されている。
【００１８】
両側板１は木製よりなり、その下端部を除いた上方は、縦長の方形枠状をなし、中央部に大きな開口部３が形成されている。この開口部３の前後の対向縁部には、平面視内向きコ字状をなすとともに、外側面に多数の係止孔４が上下方向に沿って列設された取付金具５が、その前後の内向片５ａを側板１の上端部と下方の外面に埋設させるようにして固着されている。
【００１９】
左右の側板１と中間側板２における下端部の周囲と対向面間には、複数に分割可能なベース棚板６が、両側板１と中間側板２に取付けたブラケット（図示略）により、床面と所定寸法離間するように支持されている。
【００２０】
ベース棚板６の左右両端と後端は、それに取付けられた側面板７，７と後面板８とにより閉塞され、前端のみが開口されている。
【００２１】
ベース棚板６の下方は、収納空間Ｓとされ、左右の側面板７と左右の側板１の外側面との間、及び左右の側板１と中間側板２との間の収納空間Ｓ内には、それぞれ引出し９が収容され、ストック商品等を保管することができるようになっている。
【００２２】
上記中間側板２は、方形の木製板材を側面視ほぼ逆Ｔ字形をなすように切除して形成され、そのベース棚板６よりも上方の前後の切除部１０に形成された保持溝１１には、ガラスもしくは合成樹脂よりなる透明または半透明の透光パネル１２が、前後両端と上端とを中間側板２の前後端と上端とに整合させるようにして嵌合されている。
【００２３】
ベース棚板６の上面と、左右の側板１と中間側板２の対向面との中央部には、金属製の正面視方形枠状のフレーム部材１３が、複数のねじ１４により固着されている。
【００２４】
フレーム部１３は、左右１対の角筒状の縦フレーム１３ａ，１３ａと、上下１対の角筒状の横フレーム１３ｂ，１３ｂとの端部同士を、溶接により接合して構成され、左右の両縦フレーム１３ａの前後両面には、多数の係止孔１５が上下方向に列設されている。
【００２５】
左側のフレーム部材１３における上下の横フレーム１３ｂ間には、周囲を枠フレーム１６により囲まれたパンチングプレート１７の上下両端が、次のようにして取付けられている。
【００２６】
すなわち、図３の断面図に示すように、枠フレーム１６の上端に突設した左右１対の突軸１８を、上部側の横フレーム１３ｂの下面に形成された支持孔１９に遊挿した後、枠フレーム１６の下端の複数個所を、下側の横フレーム１３ｂの取付孔に挿入した皿ねじ２０により下方から固定して取付けられている。なお、この取付作業は、フレーム部材１３をベース棚板６や側板２，３に取付ける前に行われる。
【００２７】
上記パンチングプレート１７の左右幅は、縦フレーム１３ａ間の寸法よりも小とされ、フレーム部材１３を閉塞して開放感が損なわれるのを防止している。
【００２８】
パンチングプレート１７の前面側には、商品陳列用の吊支金具２１が、その後端の上向きフック部２１ａを適宜のパンチ孔２２に係止することにより取付けられている。
【００２９】
右側のフレーム部材１３における上下の横フレーム１３ｂ間には、若干厚肉の木製パネル２３が、パンチングプレート１７と同じ方法で取付けられている。
【００３０】
図４に示すように、木製パネル２３の前後両面には、若干上向傾斜とした凹溝２４が、左右方向を向いて上下複数本形成され、この前面側の凹溝２４の適宜のものには、ガラスまたは合成樹脂等よりなる棚板２５の基端部が嵌合されて支持されている。なお、木製パネル２３の左右幅も、縦フレーム１３ａ間の寸法より小としてある。
【００３１】
左右の側板１の外面と左右のフレーム部材１３の前後の面の中間部には、複数の中間棚板２６が、側板１の前後の取付金具５と左右の縦フレーム１３ａに、次のようにして取付けられている。
【００３２】
すなわち、各中間棚板２６は、図５に示すように（取付金具側も同じ取付形態に付き図示略）、左右の縦フレーム１３ａの係止孔１５に、逆Ｌ字形のブラケット２７の基端の係止爪２７ａを係止し、このブラケット２７に載置した中間棚板２６を、下方よりねじ２８により固定することにより、全ての中間棚板２６の外周端が整合するように取付けられている。
【００３３】
左右の側板１と両フレーム部材１３の後面側の上端部にも、棚板２９が、上述のようなブラケット２７を用いて取付けられている（図２参照）。
【００３４】
以上説明したように、上記実施形態の商品陳列棚Ａにおいては、木製よりなる側板１と中間側板２間の中央部に、金属製の枠状のフレーム部材１３を固着しているため、陳列棚全体の強度が高くなるとともに、縦フレーム１３ａに係止したブラケット２７により、棚板２６，２９が強固に支持される。
【００３５】
また、両側板１に取付金具５を取付け、これに係止したブラケット２７により、棚板２６，２９を支持しているため、側板１による棚板２６，２９の支持強度も高い。従って、棚板２６，２９に、比較的重量のある商品を数多く陳列することができる。
【００３６】
側板１には開口部３が形成され、かつフレーム部材１３には、縦フレーム１３ａ間の寸法より小さいパンチングプレート１７及び木製パネル２７を取付け、さらに、中間側板２には透光パネル１２が取付けられているため、前後左右方向の視界がよく、大きな開放感が得られる。
【００３７】
フレーム部材１３の前後両面の係止孔１５、両側板１の取付金具５の係止孔４、木製パネル２３の前後両面の凹溝２４を用いて、多くの棚板２５，２６，２９を取付けることができ、かつパンチングプレート１７にも吊支金具２１を取付け得るので、商品の陳列量を大幅に増加させることができる。
【００３８】
また、商品の種類等に対応して、陳列形態を選択することができるとともに、陳列棚の中央部にデッドスペースが形成されることもない。
【００３９】
ベース棚板６を床面より離間させ、その下方に形成された収納空間Ｓ内に、引出し９を収容しているため、多くのストック商品等を保管しておくことができるとともに、その出し入れも容易となる。
【００４０】
本発明は、上記実施形態に限定されるものではなく、種々の形態をとり得る。
【００４１】
例えば、パンチングプレート１７や木製パネル２３を省略し、フレーム部材１３の前面側にも複数の棚板２９を取付けるようにしてもよい。
【００４２】
また、後面側の棚板２９を省略する代わりに、パンチングプレート１７の前後両面に吊支金具２１を係止したり、木製パネル２３の後面の凹溝２４にも棚板２５を取付けてもよい。
【００４３】
中間側板２を省略し、左右寸法の大きなフレーム部材を取付けることもできる。側板１の開口部３にも、パンチングプレート１７を設けることができる。
【００４４】
【発明の効果】
本発明によれば、次のような効果を奏する。
【００４５】
（ａ）請求項１に記載の発明によれば、ベース棚板の上面と両側板の対向面の中間部に、方形枠状のフレーム部材を固着したことにより、支柱を用いたりすることなく、陳列棚全体の強度を大きくすることができ、かつ前後方向の視界が良好となるので、大きな開放感がえられる。
また、縦フレームの前後両面の係止孔にブラケットを係止するなどして、棚板等を直接取付けることができるので、陳列棚の中央部にデッドスペースが形成されるのが防止される。
【００４６】
（ｂ）請求項２に記載の発明によれば、棚板の支持強度が大となるので、商品の陳列量を増加させたり、重量の大きな商品を載置して陳列することができる。
【００４７】
（ｃ）請求項３に記載の発明によれば、開放感を損なうことなく、より多くの商品を陳列することができる。
【００４８】
（ｄ）請求項４に記載の発明によれば、パンチングプレートのパンチ孔に吊支金具を簡単に取付けて、多くの商品を吊支して陳列することができる。
【００４９】
（ｅ）請求項５に記載の発明によれば、木製パネルの凹溝に棚板の基端部を簡単に嵌合して取付け、棚板に多くの商品を陳列することができる。
【００５０】
（ｆ）請求項６に記載の発明によれば、中間側板を有していても、閉塞感が生じることがない。
【００５１】
（ｇ）請求項７に記載の発明によれば、左右方向の視界も良好となるので、より大きな開放感が得られる。
【００５２】
（ｈ）請求項８に記載の発明によれば、商品の陳列量をさらに増加させることができるとともに、棚板の支持強度も大きいので、比較的重量のある商品を数多く陳列することができる。
【００５３】
（ｉ）請求項９に記載の発明によれば、収納空間に例えば引出しを収容するなどして、ストック商品等を保管しておくことができる。
【図面の簡単な説明】
【図１】本発明の商品陳列棚を斜め前方より見た斜視図である。
【図２】同じく、後面図である。
【図３】同じく、パンチングプレート取付部の縦断側面図である。
【図４】同じく、木製パネル取付部の縦断側面図である。
【図５】同じく、フレーム部材に対する棚板の取付形態を示す要部の分解斜視図である。
【符号の説明】
１              側板
２              中間側板
３              開口部
４              係止孔
５              取付金具
５ａ            内向片
６              ベース棚板
７              側面板
８              後面板
９              引出し
１０            切除部
１１            保持溝
１２            透光パネル
１３            フレーム部材
１３ａ          縦フレーム
１３ｂ          横フレーム
１４            ねじ
１５            係止孔
１６            枠フレーム
１７            パンチングプレート
１８            突軸
１９            支持孔
２０            皿ねじ
２１            吊支金具
２１ａ          フック部
２２            パンチ孔
２３            木製パネル
２４            凹溝
２５            棚板
２６            中間棚板
２７            ブラケット
２８            ねじ
２９            棚板
Ａ              商品陳列棚
Ｓ              収納空間
【図１】
0004199470.tif 000002
【図２】
0004199470.tif 000003
【図３】
0004199470.tif 000004
【図４】
0004199470.tif 000005
【図５】
0004199470.tif 000006